(57)【要約】      （修正有）【課題】カバー部材の上面に突起部が形成されているトイレットペーパーホルダーに係わり、特に、一方の手でトイレットペーパーを切断することのできるトイレットペーパーホルダーを提供することを目的とする。【解決手段】ホルダー部１００が、ロール状のトイレットペーパー２０００を、回動自在に保持すると共に壁等に固定し、カバー部材２００が、ホルダー部に対して上下方向に揺動自在に取り付けられ、ホルダー部１００に保持されたトイレットペーパー２０００を覆う様に形成し、カバー部材２００の上面に形成された突起部３００が、トイレットペーパーを接触させ、切断することができる。【選択図】  図１
2006314412.tif 000002
【特許請求の範囲】
【請求項１】
ロール状のトイレットペーパーを、回動自在に保持すると共に、壁等に固定するためのホルダー部と、このホルダー部に対して上下方向に揺動自在に取り付けられ、前記ホルダー部に保持されたトイレットペーパーを覆う様に形成されたカバー部材とからなるトイレットペーパーホルダーにおいて、前記カバー部材の上面には、前記トイレットペーパーを接触させ、切断するための突起部が形成されていることを特徴とするトイレットペーパーホルダー。
【請求項２】
ロール状のトイレットペーパーを、回動自在に保持すると共に、壁等に固定するためのホルダー部に対して、上下方向に揺動自在に取り付けられ、前記ホルダー部に保持されたトイレットペーパーを覆う様に形成されたカバー部材であって、このカバー部材の上面には、前記トイレットペーパーを接触させ、切断するための突起部が形成されていることを特徴とするトイレットペーパーホルダー用のカバー部材。
【請求項３】
ロール状のトイレットペーパーを、回動自在に保持すると共に、壁等に固定するためのホルダー部に対して、上下方向に揺動自在に取り付けられ、前記ホルダー部に保持されたトイレットペーパーを覆う様に形成されたカバー部材に取り付けるための突起部であって、この突起部は、前記カバー部材の上面に取付可能となっており、前記トイレットペーパーを接触させ、切断することを特徴とするトイレットペーパーホルダー用の突起物。
【発明の詳細な説明】
【技術分野】
【０００１】
本発明は、カバー部材の上面に突起部が形成されているトイレットペーパーホルダーに係わり、特に、一方の手でトイレットペーパーを切断することのできるトイレットペーパーホルダーに関するものである。
【背景技術】
【０００２】
従来から使用されているトイレットペーパーホルダーは、使用する場合には、トイレットペーパーを適宜必要な長さに巻き出した後、巻き出したトイレットペーパーを一方の手で把持したまま、他方の手で、トイレットペーパーホルダーのカバー部材を押さえ、トイレットペーパーを把持した手を動かすことにより、カバー部材の前端部でトイレットペーパーを切断していた。
【０００３】
例えば図９に示す様に、従来のトイレットペーパーホルダー１００００は、ロール状のトイレットペーパー９０００を、回動自在に保持すると共に、壁等に固定するためのホルダー部８１００と、このホルダー部８１００に対して上下方向に揺動自在に取り付けられ、ホルダー部８１００に保持されたトイレットペーパー９０００を覆う様に形成されたカバー部材８２００とから構成されている。一般的にはホルダー部８１００に対して、取り外し可能な軸部材７０００を装着することにより、ロール状のトイレットペーパー９０００を、回動自在に保持している。
【０００４】
そして使用者は、巻き出したトイレットペーパー９０００を一方の手で把持したまま、他方の手で、トイレットペーパーホルダー１００００のカバー部材８２００を押さえ、トイレットペーパー９０００の回転を停止させることにより、カバー部材８２００の前端部でトイレットペーパーを切断していた。
【０００５】
【発明の開示】
【発明が解決しようとする課題】
【０００６】
しかしながら上記従来のトイレットペーパーホルダーは、一方の手で、巻き出したトイレットペーパーを把持し、他方の手で、トイレットペーパーホルダーのカバー部材を押さえなければならず、両方の手を使用しなければならないという問題点があった。
【０００７】
片手に物を持っていている場合や、特に、高齢者や身体に障害を伴っている使用者等は、壁等に取り付けられたトイレットペーパーホルダーに両手を伸ばすのが極めて困難であるという問題点があった。
【課題を解決するための手段】
【０００８】
本発明は上記課題に鑑み案出されたもので、ロール状のトイレットペーパーを、回動自在に保持すると共に、壁等に固定するためのホルダー部と、このホルダー部に対して上下方向に揺動自在に取り付けられ、前記ホルダー部に保持されたトイレットペーパーを覆う様に形成されたカバー部材とからなるトイレットペーパーホルダーにおいて、前記カバー部材の上面には、前記トイレットペーパーを接触させ、切断するための突起部が形成されている。
【０００９】
また本発明のトイレットペーパーホルダー用のカバー部材は、ロール状のトイレットペーパーを、回動自在に保持すると共に、壁等に固定するためのホルダー部に対して、上下方向に揺動自在に取り付けられ、前記ホルダー部に保持されたトイレットペーパーを覆う様に形成されたカバー部材であって、このカバー部材の上面には、前記トイレットペーパーを接触させ、切断するための突起部が形成されている。
【００１０】
更に本発明のトイレットペーパーホルダー用の突起物は、ロール状のトイレットペーパーを、回動自在に保持すると共に、壁等に固定するためのホルダー部に対して、上下方向に揺動自在に取り付けられ、前記ホルダー部に保持されたトイレットペーパーを覆う様に形成されたカバー部材に取り付けるための突起部であって、この突起部は、前記カバー部材の上面に取付可能となっており、前記トイレットペーパーを接触させ、切断することを特徴としている。
【効果】
【００１１】
以上の様に構成された本発明は、ロール状のトイレットペーパーを、回動自在に保持すると共に、壁等に固定するためのホルダー部と、このホルダー部に対して上下方向に揺動自在に取り付けられ、前記ホルダー部に保持されたトイレットペーパーを覆う様に形成されたカバー部材とからなるトイレットペーパーホルダーにおいて、前記カバー部材の上面には、前記トイレットペーパーを接触させ、切断するための突起部が形成されているので、一方の手でトイレットペーパーを切断することができるという卓越した効果がある。
【発明を実施する最良の形態】
【００１２】
以上の様に構成された本発明は、ホルダー部が、ロール状のトイレットペーパーを、回動自在に保持すると共に壁等に固定し、カバー部材が、ホルダー部に対して上下方向に揺動自在に取り付けられ、ホルダー部に保持されたトイレットペーパーを覆う様に形成し、カバー部材の上面に形成された突起部が、トイレットペーパーを接触させ、切断することができる。
【実施例１】
【００１３】
本発明の実施例を図面に基づいて説明する。
【００１４】
本実施例のトイレットペーパーホルダー１０００は、ロール状のトイレットペーパー２０００を、回動自在に保持すると共に、壁等に固定するためのホルダー部１００と、このホルダー部１００に対して上下方向に揺動自在に取り付けられ、ホルダー部１００に保持されたトイレットペーパー２０００を覆う様に形成されたカバー部材２００とからなっており、カバー部材２００の上面には、引き出されたトイレットペーパー２０００を接触させ、切断するための突起部３００、３００が形成されている。
【００１５】
ホルダー部１００は、ロール状のトイレットペーパー２０００を、回動自在に保持するためのものである。本実施例のホルダー部１００は、トイレットペーパー２０００の中空部分に挿入するための軸部材１１０を水平方向に軸止可能に構成されており、ロール状のトイレットペーパー２０００を回転可能に取り付けることができる。なおトイレットペーパー２０００を交換する場合には、適宜の方法により軸部材１１０をホルダー部１００から取り外すことができる。取り外しの方法は、例えば、軸部材１１０を軸長方向に圧縮可能な構成とすることも可能である。
【００１６】
カバー部材２００は、ホルダー部１００に対して上下方向に揺動自在に取り付けられている。本実施例では、カバー部材２００の上側部に形成されたピン部材を、カバー部材２００の穴部に挿通させることにより、上下方向に揺動自在に連設されている。
【００１７】
カバー部材２００の上面には、引き出されたトイレットペーパー２０００を接触させ、切断するための突起部３００、３００が形成されている。この突起部３００、３００は、使用者が、引き出されたトイレットペーパー２０００を接触させ、切断するためのものである。即ち使用者が、引き出されたトイレットペーパー２０００を突起部３００に当てて、引き掛け、更に下方に引っ張ることにより、所望の長さにトイレットペーパー２０００を切断するものである。
【００１８】
ここで接触とは、少なくとも、トイレットペーパー２０００を突起部３００に当てることを意味する。
【００１９】
本実施例の突起部３００に上端部には、突起部３００より径の大きなストッパ部３１０が形成されている。このストッパ部３１０は、トイレットペーパー２０００を引き掛け易くすると共に、下方に引っ張る場合に、トイレットペーパー２０００が外れない様に規制するためのものである。
【００２０】
以上の様に構成された本実施例の使用法を図２から図４で説明する。
【００２１】
まず一方の手で必要なトイレットペーパー２０００を巻き出した後、図２の様に、トイレットペーパー２０００でカバー部材２００を押し上げない様にしながら、トイレットペーパー２０００を把持した手を突起部３００を中心に動かす様にする。即ち図３に示す様に、時計の約１２時の方から半径３〜１５センチ程度の概円弧状に、突起部３００と略同じ高さの位置まで動かすものである。
【００２２】
そしてトイレットペーパー２０００の切断したい部分を突起部３００に引っ掛け、更に下方に引っ張ることにより、トイレットペーパー２０００を切断するものである。詳述すれば図４に示す様に、カバー部材２００の裏側をトイレットペーパー２０００のロールに押し付け、ロールの回転を停止させる様に加圧しつつ、トイレットペーパー２０００が突起部３００に押圧されて発生する摩擦抵抗により、突起部３００とトイレットペーパー２０００を把持している手により引っ張られて最終的に切断することになる。即ち、この突起部３００は、トイレットペーパー２０００に対してフック体として機能する。
【００２３】
本実施例では、カバー部材２００の上面には、２個の突起部３００、３００が形成されているが、１個でもよく、更に３個以上であってもよい。更に、カバー部材２００の任意の位置に突起部３００を形成することができる。特に、突起部３００は、カバー部材２００の前部の左端部近傍又はカバー部材２００の前部の右端部近傍に形成することが望ましい。これは使用者の手が、ホルダー部１００が取り付けられている壁等に当たる心配がなく、トイレットペーパー２０００を切断する場合にも、ロールの回転を確実に停止させることができ、容易に切断することができるからである。
【００２４】
なお本実施例は図５の様に、ホルダー部１００に切り欠き部２１０を形成することもできる。この切り欠き部２１０からトイレットペーパー２０００を引き出すことにより、突起部３００にトイレットペーパー２０００を引き掛け易くすることができる。
【００２５】
更に本実施例は、図６の様に、突起部３００に刃部３２０を形成することもできる。この刃部３２０は例えば、テープ部材の切り取り用に使用される連続した山形の刃や、適宜の鋭利な刃を採用することができる。刃部３２０が形成された突起部３００は、トイレットペーパー２０００を弱い力で切断することができるいという効果がある。
【００２６】
また本実施例の突起部３００は、図７及び図８に示す様に適宜の形状にすることができる。
【００２７】
そして突起部３００は、カバー部材２００と一体成形したり、板金加工等で製作してもよく、カバー部材２００と別体に製作し、後にカバー部材２００に取り付けてもよいことは勿論である。
【００２８】
更に、突起部３００とカバー部材２００との取付は、適宜の接着剤や、任意の金具等を使用することができる。
【００２９】
また本実施例は、従来からのホルダーに対して、突起部３００が形成されたカバー部材２００を交換して取り付けることも可能である。
【００３０】
以上の様に構成された本実施例は、両手を使用しなくても一方の手のみでトイレットペーパー２０００を切断することができるという効果がある。
【００３１】
また、切断されたトイレットペーパー２０００の端部が、突起部３００に押し付けられ、引きちぎられる力によって、幅方向に多段のひだ状に変形し、突起部３００に残されたままとなるので、次回使用するときにトイレットペーパー２０００の端部が手でつかみやすくなるという効果がある。
【００３２】
更に、トイレットペーパー２０００の端部が突起部３００から離れてしまっても、端部が多段のひだ状に変形しているので、端部がトイレットペーパー２０００のロールにピッタリと張り付かないので、視力の弱い人にも見えやすくなり、手でつかみやすくなるという効果がある。
【産業上の利用可能性】
【００３３】
本発明は、カバー部材の上面に突起部が形成されているトイレットペーパーホルダーに係わり、特に、一方の手でトイレットペーパーを切断することのできるトイレットペーパーホルダーを提供することができる。
【図面の簡単な説明】
【００３４】
【図１】本発明の実施例のトイレットペーパーホルダー１０００の構成を示す図である。
【図２】本発明の実施例のトイレットペーパーホルダー１０００の構成を示す図である。
【図３】本発明の実施例のトイレットペーパーホルダー１０００の構成を示す図である。
【図４】本発明の実施例のトイレットペーパーホルダー１０００の構成を示す図である。
【図５】本発明の実施例のトイレットペーパーホルダー１０００の構成を示す図である。
【図６】本発明の実施例の突起部３００の構成を示す図である。
【図７】本発明の実施例の突起部３００の構成を示す図である。
【図８】本発明の実施例の突起部３００の構成を示す図である。
【図９】従来技術を説明する図である。
【符号の説明】
【００３５】
１０００  トイレットペーパーホルダー
２０００  トイレットペーパー
１００  ホルダー部
２００  カバー部材
３００  突起部
３１０  ストッパ部
【図１】
2006314412.tif 000003
【図２】
2006314412.tif 000004
【図３】
2006314412.tif 000005
【図４】
2006314412.tif 000006
【図５】
2006314412.tif 000007
【図６】
2006314412.tif 000008
【図７】
2006314412.tif 000009
【図８】
2006314412.tif 000010
【図９】
2006314412.tif 000011